(57)【要約】      （修正有）【課題】可動腕の作動機構が簡便である、さすまたを提供する。【解決手段】アーム体２にそれぞれ回動可能なタックアーム体６を取り付けると共に、該タックアーム体６を常時開方向に付勢するバネ８を設け、前記アーム体２に操作棒３を取り付けてあり、操作棒内に内装の内装棒１６に胴当て体１５を設け、一対のタックルアーム体６と胴当て体１５を引張体１８で結んである。抑制すべき相手の身柄を拘束しようとする場合、胴当て体１５の移動によって、タックアーム体６が胴体を抱え、内装棒１６を固定すると、タックルアーム体６から逃れることができない【選択図】図１
2012026694.tif 000002
【特許請求の範囲】
【請求項１】
アーム体にそれぞれ回動可能なタックアーム体を取り付けると共に該タックアーム体を常時開方向に付勢のバネを設け、前記アーム体に操作棒を取り付けてあるさすまたであって、
前記操作棒内に内装の内装棒に胴当て体を設け、
一対のタックルアーム体と胴当て体を引張体で結ぶことを特徴とするさすまた。
【請求項２】
一対のタックアーム体にそれぞれ回動可能な閉鎖アーム体を取り付けると共に該閉鎖アーム体を常時開方向に付勢のバネを設け、閉鎖アーム体を引張体で結ぶことを特徴とする請求項１のさすまた。
【請求項３】
内装棒にロック、アンロック機構を備えることを特徴とする請求項１又は請求項２のさすまた。
【請求項４】
アーム体に胸当てが形成されていることを特徴とする請求項１から請求項３のいずれか１項のさすまた。
【発明の詳細な説明】
【技術分野】
【０００１】
本願発明は、さすまたに関する。
【背景技術】
【０００２】
現代社会において、年々治安悪化が進み社会問題となっている。悪人が弱者を脅かすと事件が発生し、勇気を持って立ち向かうにしても、相手が刃物等を所持したりしている場合には、被害を被ることが多い。
そこで、係る場合に対処する道具として「さすまた」があり、例えば、特許文献１に開示してある。この特許文献１に開示のさすまたは、抑制すべき相手の身柄を拘束しようとする場合、湾曲状のふたまた部本体内に突出用圧縮バネが収縮した状態で可動腕が挿入されている。そして、常時は、前記突出用バネは施錠爪によって、収縮状態であるが、抑制すべき相手をふたまた部内で確保した時点で、相手の身体を利用して、作動板に押圧を加えられると、前記施錠爪が解錠され、圧縮バネが伸長し、可動腕がふたまた部本体内から突出して、相手の身体を包み込み、行動の自由を奪って抑制できるものである。
【先行技術文献】
【特許文献】
【０００３】
【特許文献１】特開２００６-３２９６０２号公報
【発明の概要】
【発明が解決しようとする課題】
【０００４】
前記開示のさすまたは、相手の身体を包み込む可動腕が突出する機構が突出用圧縮バネの反発力を利用すると共に、施錠爪の解除を行う機構が必要であり、可動腕の操作機構が複雑である。
そこで、本願は、可動腕の作動機構が簡便であるさすまたを提供するものである。
【課題を解決するための手段】
【０００５】
請求項１のさすまたは、アーム体の端部に、それぞれ回動可能なタックアーム体が取り付けてあると共に該タックアーム体は常時開方向に付勢しているためのバネが設けてある。また、前記アーム体には操作棒が取り付けてある。
そして、前記操作棒内に内装の内装棒の端部には、胴当て体が設けてあり、一対のタックルアーム体と胴当て体は引張体で結んである。
そのため、胴当て体の移動によって、タックアーム体が胴体を抱え、内装棒を固定すると、タックルアーム体から逃れることができない。
【０００６】
又、請求項２のさすまたは、一対のタックアーム体にそれぞれ回動可能な閉鎖アーム体が取り付けてあると共に該閉鎖アーム体を常時開方向に付勢のバネが設けてある。また、閉鎖アーム体は引張体に結んであるので、胴当て体の移動によって、タックアーム体と閉鎖アーム体が胴体を抱え、内装棒を固定すると、タックルアーム体と閉鎖アーム体から逃れることができない。
又、請求項３のさすまたは、内装棒にロック、アンロック機構を備えることによって、一旦、胴当て体が移動すると、タックアーム体と閉鎖アーム体が胴体を抱えてロック状態になるので逃れることができないし、アンロックにすることによって、胴当て体を元の状態にすることができる。
又、請求項４のさすまたは、アーム体に胸当てが形成されているので、前方に向かってくる場合に備えることができる。
【発明の効果】
【０００７】
本願の請求項１のさすまたは、胴当て体の移動によって、タックアーム体が胴体を抱え、内装棒を固定すると、タックルアーム体から逃れることができない。
又、請求項２のさすまたは、タックアーム体と閉鎖アーム体から逃れることができない。
又、請求項３のさすまたは、一旦、胴当て体が移動すると、ロック状態になるので逃れることができないし、アンロックにすることによって、胴当て体を元の状態にすることができる。
又、請求項４のさつまたは、アーム体に胸当てが形成されているので、前方に向かってくる場合に備えることができる。
【図面の簡単な説明】
【０００８】
【図１】さすまたの胸当てを省略した平面図である。
【図２】図１の左側面図と部分拡大断面図である。
【図３】はさすまたの正面図である。
【発明を実施するための形態】
【０００９】
本発明について、図面を参照して説明する。図１はさすまたの胸当てを削除した平面図、図２は図１の左側面図と部分拡大断面図、図３はさすまたの正面図である。
さすまた１は、半円状，Ｙ字状等の形状のアーム体２と、そのアーム体２に連結されている円筒の操作棒３からなる。尚、前記アーム体２と操作棒３の材質は、金属、木材等、種々選定できるし、断面形状は四角状でも丸状であってもよい。
また、前記アーム体２のそれぞれの先端部には、アーム体固定軸５が垂設してあり、このアーム体固定軸５には回動可能なタックルアーム体６が取り付けてある。また、このアーム体固定軸５には、ねじりコイルバネ８が挿入してあり、そのねじりコイルバネ８の端部は、タックルアーム体６とアーム体２の側壁を押圧し、タックルアーム体６はアーム体２に対して、常時、開方向に、即ち、右側のタックルアーム体６は時計方向に、左側のタックルアーム体６は反時計方向に、付勢されている。
尚、前記タックルアーム体６は、身体の腰辺りを包み込み可能な円弧状であり、材質は金属等から選定する。又、前記ねじりコイルバネ８は板バネ等で構成してもよい。
【００１０】
また、前記タックルアーム体６のそれぞれの先端部には、閉鎖固定軸１０が垂設してあり、この閉鎖固定軸１０には閉鎖アーム体１１が回動可能に取り付けてある。また、この閉鎖固定軸１０には、ねじりコイルバネ１２が取り付けてあり、そのねじりコイルバネ１２の端部は、タックルアーム体６と閉鎖アーム体１１の側壁を押圧し、閉鎖アーム体１１はタックルアーム体６に対して、常時、開方向に、即ち、右側の閉鎖アーム体１１は時計方向に、左側の閉鎖アーム体１１は反時計方向に、付勢されている。
なお、この閉鎖アーム体１１は、相手の腰の周りを更に囲うためのものであり、前記タックルアーム体６の形状によっては、必ずしも必要ではない。又、前記ねじりコイルバネ１２は板バネ等で構成してもよい。
【００１１】
また、前記アーム体２とアーム体２の中心、即ち、操作棒３に対応する位置には、丸棒、板状等の胴当て体１５が設けてあり、この胴当て体１５はねじ等（図示略）を介して内装棒１６が取り付けてある。そして、この内装棒１６は、前記操作棒３に内挿してある。
また、引張体（ワイヤー、紐等）１８は、前記右側の閉鎖アーム体１１の端部に取り付けられ、前記右側のタックルアーム体６のほぼ中央に取り付けられている支持軸１９に掛けられて、胴当て体１５を介して、左側のタックルアーム体６のほぼ中央に取り付けられている支持軸１９に掛けられて、左側の閉鎖アーム体１１の端部に取り付けられている。従って、胴当て体１５がアーム体２に近づくように移動すると（図１の破線で示す胴当て体１５’）、前記引張体１８によって、タックルアーム体６はねじりコイルバネ８の付勢力に打ち勝って、アーム体固定軸５で胴当て体１５’に近づくように回動すると共に、閉鎖アーム体１１もねじりコイルバネ１２に打ち勝って、閉鎖固定軸１０で胴当て体１５’に近づくように回動する。
即ち、胴当て体１５がアーム体２に近づくように移動すると、閉鎖アーム体１１とタックルアーム体６は、胴体を囲うように作用するので、内装棒１６を固定すると、もはや、閉鎖アーム体１１とタックルアーム体６から逃れることができない。
【００１２】
尚、前記内装棒１６の右端部には、胴当て体１５のロック、アンロック機構が設けてある。前記内装棒１６には爪２０が取り付けてあると共に前記爪２０と係止する係止孔２１が穿設の係止体２２が操作棒３の片側に突出して取りつけてある。
即ち、前記爪２０の傾斜方向は、前記係止孔２１に対して、胴当て体１５がアーム体２に近づくように移動して、内装棒１６が操作棒３の右端部側に挿入されるときには、抵抗なく挿入可能であるが、反対に、胴当て体１５がアーム体２から離脱する方向には、爪２０が係止孔２１に係止して移動できないように、胴当て体１５側に傾斜していて、所謂、ラチェット機構を構成している。
従って、一旦、胴当て体１５がアーム体２に近づくように移動して胴当て体１５’の位置になると、閉鎖アーム体１１とタックルアーム体６は、胴体を囲むように図１の破線状態になり、もはや、閉鎖アーム体１１とタックルアーム体６から逃れることができない。
【００１３】
又、前記内装棒１６とアーム体２の間には操作杆２７が取り付けてあり、その操作杆２７にはバネ２５が内挿してあり、爪２０が、常時、係止孔２１の上縁２１ａに係止可能となるように、前記バネ２５によって付勢されている。
又、前記胴当て体１５のロック状態を解除するために、前記係止体２２に回動軸２９を設け、前記操作杆２７に連結のレバー３０が取りつけてある。このレバー３０をアーム体２とで握ると、レバー３０は前記回動軸２９を支点に、操作杆２７を下方向に、即ち、内装棒１６を下方向に移動させるので、爪２０は係止孔２１から離脱する。そのため、補胴当て体１５（内装棒１６）は、左方向に移動可能となり、図１に示す破線で示す補胴当て体１５から実線で示す胴当て体１５に戻すことができる。
【００１４】
又、このさすまたには、アーチ状の胸当て体４０が形成されていて、この胸当て体４０は、前記一対のアーム体２から、側面視、後方側に突き出す形状であり、正面視、アーチ状の胸アーム４１が立設してあり、そのサポートとして、胸アーム４１の頂部からサポート体４２が操作棒３に取りつけてある。
【００１５】
次に、前記構成のさすまたの使用方法について説明する。なお、さすまたの胴当て体１５は、図１の実線の位置である。
操作棒３を持って、タックルアーム体６（又は閉鎖アーム体１１）を相手の腹部をめがけて突くと、閉鎖アーム体１１はねじりコイルバネ（又は、板バネ）８の反発力に打ち勝って、内側に回動して腹部を閉鎖アーム体１１及びタックルアーム体６内に受け入れる。
そして、前記胴当て体１５が腹部に当たり、更に、操作棒３を相手の胴体を押すと、その胴当て体１５の移動によって、内装棒１６に形成の爪２０は係止孔２１の上縁２１ａに係止しながら右方向に挿入され、引張体１８はタックルアーム体６をアーム体固定軸５で閉側に回動し、相手の胴体を囲うと、閉鎖アーム体１１が付設の場合には、ねじりコイルバネ（又は、板バネ）１２の付勢力により元の開状態になり、閉鎖アーム体１１とタックルアーム体６とで胴体を囲うことになる。
【００１６】
このように胴体をさすまたで囲われたとき、相手は、逃れようとして後ろに下がって閉鎖アーム体１１やタックルアーム体６から離脱しようとするが、前記内装棒１６に形成の爪２０が係止孔２１の上縁２１ａに係止しているラチェット機構によって、前記胴当て体１５（内装棒１６）はアーム体２から離脱する元の状態には移動せず、捕捉された状態を維持する。即ち、一度、さすまたが、胴体を捕捉すると、もはや逃れることができない。
また、補足されたとき、相手が前方側（把持者側）に向かってくる場合には、操作棒３を操って、胸当て体４０を相手の胸に押し当てると、相手は反り返り、把持者に向かってくることができない。
【００１７】
以上のように、このさすまたは、一端、補足すると、後ろへ逃れようとしても、ラチェット機構により閉鎖アーム体１１とタックルアーム体６から逃れることはできないし、把持者に向かってくる場合には、胸当て体４０を相手の胸に押し当てると、相手は反り返り向かってくることができない。
尚、相手を補足した後に、さすまたから逃れるためには、アンロック状態にすればよく、このアンロック状態にするには、レバー３０をアーム体２とで握って操作杆２７を下方向に移動させて、爪２０を係止孔２１から離脱させることによって、胴当て体１５（内装棒１６）は、アーム体２から離脱する左方向に移動させることができ、元の状態に戻すことができる。
【符号の説明】
【００１８】
２    アーム体
３    操作棒
６    タックアーム体
８    ねじりコイルバネ
１１  閉鎖アーム体
１２  ねじりコイルバネ
１６  内装棒
１８  引張体
２０  爪
２１  係止孔
２２  係止体
２５  バネ
２７  操作杆
３０  レバー
４０  胸当て体
【図１】
2012026694.tif 000003
【図２】
2012026694.tif 000004
【図３】
2012026694.tif 000005